(57)【要約】【課題】レーザー駆動信号のパルスと高周波信号とが非同期であることが同一パルス幅における記録パワーの変化の要因になり、記録品位の低下を招いた。【解決手段】レーザー駆動信号のパルス波形に対応してレーザードライバ２を制御する制御信号を発生する信号発生回路と、前記レーザー駆動信号に重畳させる高周波信号を発生する高周波重畳回路８と、前記レーザー駆動信号を構成するパルスの立ち上がりに前記高周波重畳回路８により発振される高周波信号を同期させる高周波重畳制御回路９とを備えている。これによりレーザー駆動信号を構成するパルスに対して重畳される高周波信号の位相が一定となるようにしている。【選択図】    図１
2005011383.tif 000002
【特許請求の範囲】
【請求項１】
光学ヘッドのレーザー光源をレーザードライバからレーザー駆動信号を発生させて駆動し、この駆動に応じて光学ヘッドから出射されるレーザービームを用いてディスクに信号記録を行う光ディスク記録装置であって、前記レーザー駆動信号のパルス波形に対応してレーザードライバを制御する制御信号を発生する信号発生回路と、前記レーザー駆動信号に重畳させる高周波信号を発振する高周波重畳回路と、前記レーザー駆動信号を構成するパルスの立ち上がりに前記高周波重畳回路により発振される高周波信号を同期させる高周波重畳制御回路とを備えたことを特徴とする光ディスク記録装置。
【請求項２】
光学ヘッドのレーザー光源をイレーズパワー値のイレーズパワー信号、ライトパワー値のライトパワー信号及びボトムパワー値のボトムパワー信号を用いて生成されるマルチパルス波形のレーザー駆動信号により駆動し、この駆動に応じて光学ヘッドから出射されるレーザービームを用いてディスクに信号記録を行う光ディスク記録装置であって、ディスクの信号記録に対応するマルチパルス波形のレーザー駆動信号を生成するべくイレーズパワー信号、ライトパワー信号及びボトムパワー信号の各信号のレーザー光源への供給を制御するライトストラテジ回路を備え、このライトストラテジ回路の制御信号を用いて高周波重畳制御回路により高周波重畳回路による高周波信号の発振を開始させることを特徴とする請求項１記載の光ディスク記録装置。
【発明の詳細な説明】
【０００１】
【発明の属する技術分野】
本発明は、光学ヘッドのレーザー光源を高周波信号を重畳したレーザー駆動信号により駆動してディスクに信号記録を行う光ディスク記録装置に関する。
【０００２】
【従来の技術】
光ディスク記録装置としては、ディスクへの上書きによる書き換えが可能なオーバーライト方式が存在し、ＣＤ（Ｃｏｍｐａｃｔ  Ｄｉｓｃ）方式のＣＤ−ＲＷ（ＲｅＷｒｉｔａｂｌｅ）、あるいはＤＶＤ（Ｄｉｇｉｔａｌ  Ｖｅｒｓａｔｉｌｅ  Ｄｉｓｃ）方式のマイナス（−）系及びプラス（＋）系のＲＷ（ＲｅＷｒｉｔａｂｌｅ）に対応するドライブ装置が知られている。このようなオーバーライト方式の光ディスク記録装置は、光学ヘッドのレーザー光源をイレーズパワー値のイレーズパワー信号とピークパワー値及びボトムパワー値間で振幅させたパルス状信号とを合成した図２に示す如きマルチパルス波形のレーザー駆動信号で駆動し、この駆動に応じてレーザー光源からレーザービームを出射させてディスクに信号記録を行うようにしている。
【０００３】
このようなマルチパルス波形のレーザー駆動信号によりディスクに記録を行う光ディスク装置においては、イレーズパワー値、ライトパワー値及びボトムパワー値を正確に制御してディスクに高品質な記録マークを記録することが提案されている（例えば、特許文献１参照）。
【０００４】
ところで、光ディスク記録装置に用いられる光学ヘッドにおいては、ディスク記録を行うために高出力のレーザー光源が搭載され、このようなレーザー光源においてはシングルモードタイプが多い。その為、レーザー光源に戻るディスクからの反射光との干渉が問題となるため、記録データとは無関係な高周波信号を重畳したレーザー駆動信号によりレーザー光源を駆動してディスク記録を行い、ディスクに記録される記録マークの品位を向上させることが行われる（例えば、特許文献２参照）。
【０００５】
【特許文献１】
特開２００１−３４９８７号公報
【特許文献２】
特開２００３−１３２５７２号公報
【０００６】
【発明が解決しようとする課題】
ところで、光ディスク記録装置においては記録速度の高速化が図られており、この高速化に伴ってレーザー駆動信号のパルス幅が狭くなり、特にオーバーライト方式のディスク記録に用いられるマルチパルス波形のレーザー駆動信号においてはライトパワー値及びボトムパワー値間で振幅されるパルス周波数が重畳する高周波信号の周波数に近づいてきている。
【０００７】
このようにレーザー駆動信号のパルス周波数が高周波信号の周波数に近づいている場合、レーザー駆動信号のパルスと高周波信号とが非同期であると、図２に示す如く（高周波信号をデフォルメして示している）、同一パルス幅であってもパルス毎に重畳される高周波信号の位相が相違することにより高周波信号の重畳量の総和が相違し、同一パルス幅における記録パワーがパルス毎に変化する要因になった。
【０００８】
同一パルス幅における記録パワーが変化すると、同一パルス幅のレーザー駆動信号によりディスクに記録される記録マークの形成度合いがばらつき、記録品位の低下を招いていた。特に、ディスク記録の高密度化が図られ、また高速化が推進されているので、同一パルス幅における記録パワーの変化による記録マークの形成度合いのばらつきが記録品位の低下に顕著に反映されることになり、無視できない問題となった。
【０００９】
本発明は上述の問題点に鑑み、レーザー駆動信号のパルスと高周波信号とを同期させることを課題とする。
【００１０】
【課題を解決するための手段】
本発明は、レーザー駆動信号のパルス波形に対応してレーザードライバを制御する制御信号を発生する信号発生回路と、前記レーザー駆動信号に重畳させる高周波信号を発生する高周波重畳回路と、前記レーザー駆動信号を構成するパルスの立ち上がりに前記高周波重畳回路により発振される高周波信号を同期させる高周波重畳制御回路とを備えている。これによりレーザー駆動信号を構成するパルスに対して重畳される高周波信号の位相が一定となるようにしている。
【００１１】
【実施例】
図１は本発明に係る光ディスク記録装置の一実施例を示す回路ブロック図である。
【００１２】
光学ヘッドの光源となるレーザーダイオード１はレーザードライバ２により駆動され、ディスク（図示せず）に対して記録及び再生を行うためのレーザービームを出射する。
【００１３】
光学ヘッドにはレーザーダイオード１から出射されてディスクに導かれる光路途中で分離されるレーザービームを受光するフロントモニターダイオード３が備えられており、このフロントモニターダイオード３は受光されるレーザービームの光量に応じて受光電流が流れ、この受光電流に応じたモニター出力を発生する。
【００１４】
レーザードライバ２は、第１及び第２の電流増幅器４及び５と、第１及び第２の電流増幅器４及び５のそれぞれの出力を選択するスイッチ回路６及び７と、レーザー駆動信号に重畳させる高周波（ＨＦ）信号を発生する高周波重畳回路８と、この高周波重畳回路８による高周波信号発振の開始を制御する高周波重畳制御回路９と、第１及び第２の電流増幅器４及び５の各出力と高周波重畳回路８からの高周波信号を加算する加算回路１０とを備えている。
【００１５】
高周波重畳回路８により発振される高周波信号の振幅は、高周波振幅制御回路１１によって制御される。
【００１６】
また、レーザードライバ２は、記録状況に対応して最適なディスク記録が行えるように制御するライトストラテジ回路１２によってスイッチ回路６，７の切換、及び高周波重畳制御回路９の動作タイミングが制御される。
【００１７】
マイクロコンピュータ１３は、オーバーライトディスクの記録時において、ライトパワーを設定するライトパワー設定手段１４と、イレーズパワーを設定するイレーズパワー設定手段１５とを備えている。
【００１８】
また、マイクロコンピュータ１３は、高周波振幅制御回路１１により制御される高周波信号の振幅を切換制御する。
【００１９】
前記ライトパワー設定手段１４により発生されるライトパワー設定データはＤＡＣ（デジタル・アナログコンバータ）１６によりアナログ信号のライトパワー信号に変換されてレーザードライバ２の第１電流増幅器４に供給される。
【００２０】
前記イレーズパワー設定手段１５により発生されるイレーズパワー設定データはＤＡＣ（デジタル・アナログコンバータ）１６によりアナログ信号のイレーズパワー信号に変換され、その後、ＡＰＣ（Ａｕｔｏｍａｔｉｃ  Ｐｏｗｅｒ  Ｃｏｎｔｒｏｌ）回路１８を介してパワー制御されたＡＰＣイレーズパワー信号としてレーザードライバ２の第２電流増幅器５に供給される。
【００２１】
前記ＡＰＣ回路１８には、フロントモニターダイオード３に受光されるレーザービームの光量に応じたモニター出力が電流・電圧変換増幅器１９により電圧信号に変換されて供給され、また、マイクロコンピュータ１３に記録条件に対応してあらかじめ取得されたイレーズパワー基準設定データをＤＡＣ１７によりデジタル・アナログ変換した基準イレーズパワー信号が供給される。これによりＡＰＣ回路１８は基準イレーズパワー信号に対するモニター出力の変動に応じて補正されるＡＰＣイレーズパワー信号を出力し、このＡＰＣイレーズパワー信号に応じてレーザーダイオード１が駆動される際のレーザーダイオード１のレーザー発光量を一定に制御する。
【００２２】
尚、ライトパワー設定手段１４及びＤＡＣ１６はレーザー駆動信号のライトパワーパルス波形に対応してレーザードライバ２をを制御するライトパワー制御信号を発生するライトパワー用信号発生回路を構成し、イレーズパワー設定手段１５、ＤＡＣ１７及びＡＰＣ回路１８はレーザー駆動信号のイレーズパワーパルス波形に対応してレーザードライバ２をを制御するイレーズパワー制御信号を発生するイレーズパワー用信号発生回路を構成し、これらのライトパワー用信号発生回路及びイレーズパワー用信号発生回路が特許請求の範囲の信号発生回路となっている。
【００２３】
このように構成される光ディスク記録装置は、ディスク記録に適切な記録パルスを形成するべくライトストラテジ回路１２の動作に関連付けられたタイミングでスイッチ回路６及び７が切り換えられ、オーバーライトディスクの記録時において、ライトパワー設定手段１４から発生され、ＤＡＣ１６を介して第１電流増幅器４により増幅された後にスイッチ回路６を介して加算回路１０に供給されるライトパワー信号と、イレーズパワー設定手段１５から発生され、ＤＡＣ１７及びＡＰＣ１８を介して第２電流増幅器５により増幅された後にスイッチ回路７を介して加算回路１０に供給されるイレーズパワー信号と、スイッチ回路６及び７が共に開放されている状態のアース電位のボトムパワー信号とが合成されて生成されるマルチパルス波形信号によりレーザーダイオード１が駆動される。
【００２４】
ところで、ディスクの記録時において、レーザードライバ２から発生されるレーザー駆動信号に高周波重畳回路８により発振される高周波信号が重畳される。この高周波信号は高周波振幅制御回路１１によりディスク種別及び記録速度に対応させて振幅が設定される。
【００２５】
そして、前記高周波重畳回路８による高周波信号の発振開始のタイミングは、ライトストラテジ回路１２に応じて制御される。
【００２６】
オーバーライトディスクの記録時において、スイッチ回路６が閉じられてライトパワー信号がレーザードライバ２から出力されるタイミング、及びスイッチ回路７が閉じられてイレーズパワー信号がレーザードライバ２から出力されるタイミングに応じてその都度、前記高周波重畳回路８による高周波信号の発振開始が実行され、図３に示す如く、ライトパワー信号及びイレーズパワー信号のパルスの立ち上がりに位相を合わせて高周波信号が重畳されることになる。
【００２７】
したがって、レーザー駆動信号を構成するパルスの立ち上がりと高周波信号の同期がとられ、同一パルス幅におけるパルス毎に重畳される高周波信号の重畳量の総和が一定となり、同一パルス幅における記録パワーが均一化されてディスクに記録される記録マークの記録品位が確保される。
【００２８】
【発明の効果】
以上のとおり、本発明は、レーザー駆動信号を構成するパルスの立ち上がりに高周波重畳回路により発振される高周波信号を同期させているので、同一パルス幅における記録パワーが一定となり、記録マークを均一に形成するのに有利となり、ディスク記録の品位の向上が図れる。
【００２９】
この場合、ライトストラテジ回路の制御信号を用いて高周波重畳制御回路により高周波重畳回路による高周波信号の発振を開始させるようにしているので、レーザー駆動信号を構成するパルスの立ち上がりに高周波信号を同期させるのが容易に確実に行える。
【図面の簡単な説明】
【図１】本発明に係る光ディスク記録装置の一実施例を示す回路ブロック図である。
【図２】従来における光学ヘッドのレーザーダイオードを駆動するパルス波形信号を説明する説明図である。
【図３】本発明における光学ヘッドのレーザーダイオードを駆動するパルス波形信号を説明する説明図である。
【符号の説明】
１          レーザーダイオード
２          レーザードライバ
３          フロントモニターダイオード
６，７          スイッチ回路
８          高周波重畳回路
９          高周波重畳制御回路
１２          ライトストラテジ回路
１４          ライトパワー設定手段
１５          イレーズパワー設定手段
１６，１７          ＤＡＣ
１８          ＡＰＣ回路
【図１】
2005011383.tif 000003
【図２】
2005011383.tif 000004
【図３】
2005011383.tif 000005